(57)【要約】      （修正有）【課題】夜間、視界の悪い状況では警告表示することができる自転車の雨避けシートを提供する。【解決手段】折り畳みフレームと、収納ボックスと、伸縮自在の桿体ユニットとを含んでなり、折り畳みフレームは折り畳み管を内設し、折り畳み管は前端に回転座と係合固定する接続ヘッドが設けられ、収納ボックスが底部の前端に自転車のサドル後方に接続に供する後方固定フレーム２１を接続し、収納ボックス２０にはナットと係合リングが設けられ、係合リングを緩めると収納ボックスの底部が開き、伸縮自在の桿体ユニットを設けられ、桿体ユニットは伸縮自在の本フレーム３１と、本フレーム３１に接続する第一回転座と、折り畳み管の接続ヘッドに固定接続する第二回転座と、第一回転座に接続する伸縮フレーム３４と、一端が第一回転座に接続し、他端が第二回転座に接続し、防水布を設ける伸縮支持フレーム３５とを含んでなり、桿体ユニットの内部の部材を展開して固定し防水布３６を設ける。【選択図】図１５
0003153586.tif 000002
【実用新案登録請求の範囲】
【請求項１】
折り畳みフレームと、収納ボックスと、伸縮自在の桿体ユニットとを含んでなり、
該折り畳みフレームは、内部に折り畳み管を設けてなり、該折り畳み管は、折り畳みフレーム内で反転自在に設けられ、前方端縁部に接続ヘッドが設けられ、該接続ヘッドが回転座と係合して固定され、
該収納ボックスが、底部の前端に後方固定フレームを接続し、後方固定フレームを介して自転車のサドル後方に接続し、収納ボックスにはナットと、係合リングが設けられ、係合リングを緩めると、収納ボックスの底部を開けることができ、収納ボックスの底部には伸縮自在の桿体ユニットが設けられ、
該伸縮自在の桿体ユニットは、伸縮自在の本フレームと、第一回転座と、第二回転座と、伸縮フレームと、伸縮支持フレームとを含んでなり、伸縮フレームと伸縮支持フレームの一端とが第一回転座に接続し、伸縮支持フレームの他端が第二回転座に接続し、第一回転座と本フレームとが回転自在に接続され、第二回転ざが、折り畳み管の接続ヘッドに固定接続し、伸縮支持フレーム上には防水布が設けられ、桿体ユニットの内部の部材を展開して固定した後、該防水布を設けて雨避けの目的を達成することができる構造からなることを特徴とする自転車の雨避けシート。
【請求項２】
前記伸縮自在の本フレームが、第一回転座と接続し、本フレームの上端に挟持部材が設けられ、第一回転座を展開した後、該挟持部材で第一回転座を挟持して固定することができることを特徴とする請求項１に記載の自転車の雨避けシート。
【請求項３】
前記防水布が、、騎乗者が前方の状況を確認できるように、前方の視界エリアを透明な材質で形成し、上方を紫外線を遮断する材質で形成し、二つの材質の間は防水ファスナーで接続し、展開後にラグビーボール状を停止、破損、汚れなどが生じた場合には単独で外して交換、洗浄することができる構造からなることを特徴とする請求項1に記載の自転車の雨避けシート。
【請求項４】
前記収納ボックスの底部が、後方の泥除けであって、収納ボックスの底部内側に安全係合部材を設けて、該安全係合部材は本フレームを係合して固定位置決めするために供し、収納ボックスに上蓋とテイルライトを設けて、上蓋が収納ボックスのナットを介して固定され、収納ボックスの内部に物を収納することができるようし、テイルランプが収納ボックスの後方端縁部に固定され、後方からの走行車に警告するために供することを特徴とする請求項１に記載の自転車の雨避けシート。
【請求項５】
前記折り畳み管が、折り畳みフレーム内で反転自在に設けられ、該折り畳みフレームには桿体が設けられ、該桿体を利用して折り畳み管を固定することができることを特徴とする請求項１に記載の自転車の雨避けシート。
【請求項６】
前記防水布が両側をリング状のフックで左右の伸縮支持フレームに固定することを特徴とする請求項１に記載の自転車の雨避けシート。
【考案の詳細な説明】
【技術分野】
【０００１】
この考案は、雨避けシートに関し、特に自転車に設けて雨天時に騎乗者が傘をささなくても雨にぬれることを防ぐことができる自転車の雨避けシートに関する。
【背景技術】
【０００２】
従来の自転車の雨避けシートは、固定式で大型の本体から形成され、使用しない場合に該本体を小さく収納することができない。
【０００３】
他の従来の自転車の雨避けシートは、組み立てが難しく、簡単な組み立て方法を提供することができない。また、雨を避けることができる方向も上方に限られている。
【０００４】
上述の雨避けシートの構造は、自転車にふさわしくなく、本体が大きすぎて重量が重く、単一の目的にしか使用することができないとともに、自転車とともに携帯することが簡単でない。
【考案の開示】
【考案が解決しようとする課題】
【０００５】
この考案は、天気の状況を確認でき、日除け、雨避けなど用途を調整することができる自転車の雨避けシートを提供することを課題とする。
【０００６】
この考案は、夜間、或いは視界の悪い状況で騎乗する場合、ＬＥＤライト、或いは反射警告表示を設けることができる自転車の雨避けシートを提供することを課題とする。
【課題を解決するための手段】
【０００７】
そこで、本考案者は従来の技術に見られる欠点に鑑みて鋭意研究を重ねた結果、折り畳みフレームと、収納ボックスと、伸縮自在の桿体ユニットとを含んでなり、
該折り畳みフレームは、内部に折り畳み管を設けてなり、該折り畳み管は、折り畳みフレーム内で反転自在に設けられ、前方端縁部に接続ヘッドが設けられ、該接続ヘッドが回転座と係合して固定され、
該収納ボックスが、底部の前端に後方固定フレームを接続し、後方固定フレームを介して自転車のサドル後方に接続し、収納ボックスにはナットと、係合リングが設けられ、係合リングを緩めると、収納ボックスの底部を開けることができ、収納ボックスの底部には伸縮自在の桿体ユニットが設けられ。
該伸縮自在の桿体ユニットは、伸縮自在の本フレームと、第一回転座と、第二回転座と、伸縮フレームと、伸縮支持フレームとを含んでなり、伸縮フレームと伸縮支持フレームの一端とが第一回転座に接続し、伸縮支持フレームの他端が第二回転座に接続し、第一回転座と本フレームとが回転自在に接続され、第二回転ざが、折り畳み管の接続ヘッドに固定接続し、伸縮支持フレーム上には防水布が設けられ、桿体ユニットの内部の部材を展開して固定した後、該防水布を設けて雨避けの目的を達成することができる構造からなる自転車の雨避けシートの構造によって課題を解決できる点に着眼し、かかる知見に基づいて本考案を完成させた。
【０００８】
以下、この考案について具体的に説明する。
請求項１に記載の折り畳みフレームと、収納ボックスと、伸縮自在の桿体ユニットとを含んでなり、
該折り畳みフレームは、内部に折り畳み管を設けてなり、該折り畳み管は、折り畳みフレーム内で反転自在に設けられ、前方端縁部に接続ヘッドが設けられ、該接続ヘッドが回転座と係合して固定され、
該収納ボックスが、底部の前端に後方固定フレームを接続し、後方固定フレームを介して自転車のサドル後方に接続し、収納ボックスにはナットと、係合リングが設けられ、係合リングを緩めると、収納ボックスの底部を開けることができ、収納ボックスの底部には伸縮自在の桿体ユニットが設けられ、
該伸縮自在の桿体ユニットは、伸縮自在の本フレームと、第一回転座と、第二回転座と、伸縮フレームと、伸縮支持フレームとを含んでなり、伸縮フレームと伸縮支持フレームの一端とが第一回転座に接続し、伸縮支持フレームの他端が第二回転座に接続し、第一回転座と本フレームとが回転自在に接続され、第二回転ざが、折り畳み管の接続ヘッドに固定接続し、伸縮支持フレーム上には防水布が設けられ、桿体ユニットの内部の部材を展開して固定した後、該防水布を設けて雨避けの目的を達成することができる構造からなる。
【０００９】
請求項２に記載の自転車の雨避けシートは、請求項１における伸縮自在の本フレームが、第一回転座と接続し、本フレームの上端に挟持部材が設けられ、第一回転座を展開した後、該挟持部材で第一回転座を挟持して固定することができる。
【００１０】
請求項３に記載の自転車の雨避けシートは、請求項１における防水布が、、騎乗者が前方の状況を確認できるように、前方の視界エリアを透明な材質で形成し、上方を紫外線を遮断する材質で形成し、二つの材質の間は防水ファスナーで接続し、展開後にラグビーボール状を停止、破損、汚れなどが生じた場合には単独で外して交換、洗浄することができる構造からなる。
【００１１】
請求項４に記載の自転車の雨避けシートは、請求項１における収納ボックスの底部が、後方の泥除けであって、収納ボックスの底部内側に安全係合部材を設けて、該安全係合部材は本フレームを係合して固定位置決めするために供し、収納ボックスに上蓋とテイルライトを設けて、上蓋が収納ボックスのナットを介して固定され、収納ボックスの内部に物を収納することができるようし、テイルランプが収納ボックスの後方端縁部に固定され、後方からの走行車に警告するために供する。
【００１２】
請求項５に記載の自転車の雨避けシートは、請求項１における折り畳み管が、折り畳みフレーム内で反転自在に設けられ、該折り畳みフレームには桿体が設けられ、該桿体を利用して折り畳み管を固定することができる。
【００１３】
請求項６に記載の自転車の雨避けシートは、請求項１における防水布が両側をリング状のフックで左右の伸縮支持フレームに固定する。
【考案の効果】
【００１４】
この考案による自転車の雨避けシートは、雨天だけでなく、晴れている場合にも利用することができて、実用的であるとともに、簡単にすばやく使用することができるという効果を有する。
【００１５】
また、この考案の雨避けシートは、後方からの走行車に警告できるため、自転車の走行の安全性を高めるという効果を有する。
【考案を実施するための最良の形態】
【００１６】
この考案は、天気の状況に合わせて用途を調整でき、夜間、或いは視界の悪い状況で騎乗する場合、ＬＥＤライト、或いは反射警告表示を設けることができる自転車の雨避けシートであって、折り畳みフレームと、収納ボックスと、伸縮自在の桿体ユニットとを含んでなり、
該折り畳みフレームは、内部に折り畳み管を設けてなり、該折り畳み管は、折り畳みフレーム内で反転自在に設けられ、前方端縁部に接続ヘッドが設けられ、該接続ヘッドが回転座と係合して固定され、
該収納ボックスが、底部の前端に後方固定フレームを接続し、後方固定フレームを介して自転車のサドル後方に接続し、収納ボックスにはナットと、係合リングが設けられ、係合リングを緩めると、収納ボックスの底部を開けることができ、収納ボックスの底部には伸縮自在の桿体ユニットが設けられ、
該伸縮自在の桿体ユニットは、伸縮自在の本フレームと、第一回転座と、第二回転座と、伸縮フレームと、伸縮支持フレームとを含んでなり、伸縮フレームと伸縮支持フレームの一端とが第一回転座に接続し、伸縮支持フレームの他端が第二回転座に接続し、第一回転座と本フレームとが回転自在に接続され、第二回転ざが、折り畳み管の接続ヘッドに固定接続し、伸縮支持フレーム上には防水布が設けられ、桿体ユニットの内部の部材を展開して固定した後、該防水布を設けて雨避けの目的を達成することができる構造からなる自転車の雨避けシートの構造と特徴を詳述するために具体的な実施例を挙げ、図示を参照にして以下に説明する。
【実施例】
【００１７】
この考案の自転車の雨避けシートは、折り畳みフレーム１０と、収納ボックス２０と、伸縮自在の桿体ユニット３０とを含んでなる。
【００１８】
図１、図２は、折り畳みフレーム１０の分解図と、組み合わせた状態を示したものである。
【００１９】
図面によれば、該折り畳みフレーム１０は、内部に折り畳み管１２を設けてなる。該折り畳み管１２は、折り畳みフレーム１０内で反転自在に枢設される（図３は、この考案の折り畳み管を動かした状態を示した説明図である）。
【００２０】
また、該折り畳みフレーム１０には桿体１１が挿設され、該桿体１１を利用して折り畳み管１２を固定することができる。
【００２１】
折り畳み管１２は、前方の端縁部に接続ヘッド１３を設けてなる。該接続ヘッド１３は、第二回転座３３とすばやく係合して固定することができる。
【００２２】
図４は、該収納ボックス２０を示したものである。
【００２３】
図面によれば、該収納ボックス２０は、底部２２の前方の端縁部に後方固定フレーム２１を設けてなり、後方固定フレーム２１を介して自転車のサドル後方に接続することができる。
【００２４】
また、該収納ボックス２０は、ナット２３と、係合リング２４とを設けてなる。該係合リング２４を緩めると、収納ボックスの底部２２を開けることができる。
【００２５】
図５、図６は、収納ボックスの使用状態を示した説明図である。
【００２６】
該収納ボックスの底部２２は、伸縮自在の桿体ユニット３０を設けることができる。
【００２７】
図７は、この考案の安全係合部２５が伸縮自在の本フレーム３１を係合した状態を示した局部拡大図である。
【００２８】
図面によれば、該収納ボックスの底部２２は、後方の泥避けに形成する。
【００２９】
収納ボックスの底部２２は、側面に係合リング２４を設けてなる。該係合リング２４は、収納ボックス２０と、収納ボックスの底部２２とを固定するために供する。
【００３０】
また、収納ボックスの底部２２は、内部に安全係合部２５を設けてなる。該安全係合部２５は、伸縮自在の本フレーム３１を係合して位置決めするために供する。
【００３１】
収納ボックス２０は、上蓋２６と、テイルライト２７を設けてなる。
【００３２】
該上蓋２６は、収納ボックス２０のナット２３を通して固定され、収納ボックス２０の内部に物を収納することができる。
【００３３】
該テイルライト２７は、収納ボックス２０の後方端縁部に固定して設けられ、後方から走行してくる車両に警告するために供する。
【００３４】
図８は、この考案の自転車の雨避けシートの伸縮自在の桿体ユニットを示した説明図である。
【００３５】
該桿体ユニット３０は、伸縮自在の本フレーム３１と、回転自在の第一回転座３２と、すばやく接続することができる第二回転座３３と、伸縮フレーム３４と、伸縮支持フレーム３５とを含んでなる。
【００３６】
伸縮フレーム３４と伸縮支持フレーム３５の一端とは第一回転座３２に接続する。該伸縮支持フレーム３５の他端は、第二回転座３３に接続する。
【００３７】
該第一回転座３２と、伸縮自在の本フレーム３２と活動自在に接続する。
【００３８】
第二回転座３３は、折り畳み管１２の接続ヘッド１３と固定して接続する。
【００３９】
該伸縮支持フレーム３５は、上方に防水布３６を穿設し、桿体ユニット３０の内部構成部材を展開して固定した後、防水布３６で雨避けの目的を達成することができる。
【００４０】
該本フレーム３１は、第一回転座３２と接続する。本フレーム３１は、上方端縁部に挟持部材３７を設けてなり、第一回転座３２を展開した後、該挟持部材３７を利用して第一回転座３２を挟持して固定する。
【００４１】
図９から図１３は、この考案の雨避けシートを展開する場合の動作を示した説明図である。
【００４２】
折り畳み管１２を前方に引き、桿体１１で固定する。収納ボックスの底部２２を開き、伸縮自在の本フレーム３１を取り出して、上方に向けて適宜な位置まで引き上げる。
【００４３】
安全係合部材２５で該本フレーム３１の下方端縁部を固定した後、伸縮支持フレーム３５と、伸縮フレーム３４とを上方に向けて第一回転座３２の上端まで移動する。
【００４４】
第一回転座３２を展開した後、挟持部材３７で第一回転座３２を挟持して固定し、伸縮支持フレーム３５を前方の適宜な位置まで引き伸ばし、第二回転座３３と折り畳み管１２の接続ヘッド１３とを接続する。
【００４５】
伸縮フレーム３４を前方の適宜な位置まで引き伸ばし、リング型の固定挟持部材３４１で固定する。
【００４６】
二つの支持フレーム３９が左右の伸縮支持フレーム３５をそれぞれ左と右の両側面に向けて動かして開く。
【００４７】
図１４は、この考案の雨避けシートの使用状態を示した斜視図である。
【００４８】
図面によれば、折り畳みフレーム１０と、収納ボックス２０は、自転車の前方・後方端縁部に固定して設けられる。
【００４９】
図１５は、この考案の雨避けシートを使用する状態を示した説明図である。
【００５０】
図面によれば、伸縮自在の桿体ユニット３０は、自転車の上方に展開する。
【００５１】
防水布３６は、騎乗者が前方の状況を確認できるように、前方の視界エリアを透明な材質で形成し、上方を紫外線を遮断する材質で形成し、二つの材質の間は防水ファスナーで接続する。
【００５２】
図１６は、この考案の雨避けシートを示した拡大図である。
【００５３】
図面によれば、雨避けシートは、折り畳みフレーム１０と、収納ボックス２０と、伸縮自在の桿体ユニット３０とを含んでなり、様々な形態の自転車に設けて自転車の雨避けの目的を達成することができる。
【００５４】
図１７は、この考案の雨避けシートを示した部分拡大図である。
【００５５】
図面によれば、防水布３６は、両側をリング状フック３８で左右の伸縮支持フレーム３５に固定し、防水布３６を展開すると、ラグビーボール状を呈する。
【００５６】
また、破損、汚れなどが生じた場合には、単独で取り外して交換、洗浄することができる。２
【００５７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５８】
【図１】この考案の自転車の雨避けシートの折り畳みフレームを示した分解図である。
【図２】図１に開示する折り畳みフレームを組み合わせた状態を示した斜視図である。
【図３】図１に開示する折り畳みフレームを展開する状態を示した説明図である。
【図４】この考案の自転車の雨避けシートの収納ボックスを示した斜視図である。
【図５】図４に開示する収納ボックスを使用する動作を示した説明図である。
【図６】図４に開示する収納ボックスを使用する動作を示した説明図である。
【図７】この考案の自転車の雨避けシートの安全係合部材を本フレームに係合した状態を示した拡大図である。
【図８】この考案の自転車の雨避けシートの桿体ユニットを示した斜視図である。
【図９】図８に開示する桿体ユニットを展開する状態を示した説明図である。
【図１０】図８に開示する桿体ユニットを展開する状態を示した説明図である。
【図１１】図８に開示する桿体ユニットを展開する状態を示した説明図である。
【図１２】図８に開示する桿体ユニットを展開する状態を示した説明図である。
【図１３】図８に開示する桿体ユニットを展開する状態を示した部分拡大図である。
【図１４】この考案の自転車の雨避けシートの使用状態を示した斜視図である。
【図１５】図１４に開示する雨避けシートを展開した状態を支援した斜視図である。
【図１６】この考案の自転車の雨避けシートの部材を示した拡大図である。
【図１７】この考案の自転車の雨避けシートの防水布を示した部分拡大図である。
【符号の説明】
【００５９】
１０               折り畳みフレーム
１１               桿体
１２               折り畳み管
１３               接続ヘッド
２０               収納ボックス
２１               後方固定フレーム
２２               底部
２３               ナット
２４               係合リング
２５               安全係合部材
２６               上蓋
２７               テイルライト
３０               桿体ユニット
３１               本フレーム
３２               第一回転座
３３               第二回転座
３４               伸縮フレーム
３４１             固定挟持部材
３５               伸縮支持フレーム
３６               防水布
３７               挟持部材
３９               支持フレーム
【図１】
0003153586.tif 000003
【図２】
0003153586.tif 000004
【図３】
0003153586.tif 000005
【図４】
0003153586.tif 000006
【図５】
0003153586.tif 000007
【図６】
0003153586.tif 000008
【図７】
0003153586.tif 000009
【図８】
0003153586.tif 000010
【図９】
0003153586.tif 000011
【図１０】
0003153586.tif 000012
【図１１】
0003153586.tif 000013
【図１２】
0003153586.tif 000014
【図１３】
0003153586.tif 000015
【図１４】
0003153586.tif 000016
【図１５】
0003153586.tif 000017
【図１６】
0003153586.tif 000018
【図１７】
0003153586.tif 000019